(57)【要約】【課題】カシメやネジによることなく、ユニットケース内に適切な応力を加えて音響電気変換器を固定する。【解決手段】支持リング１２ａに張設された振動板１１ａと絶縁台座２０に支持された固定極１４ａとをスペーサを介して対向的に配置して構成される音響電気変換器１０ａをユニットケース内に収納するにあたって、ユニットケースとして、一端に支持リング１２ａに対する係止片１６１を有し他端１６２が絶縁台座２０側に向けて延びていて支持リング１２ａを絶縁台座２０側に押さえ込む断面Ｌ字状のリング状ケース１６ａを用い、リング状ケース１６ａの他端１６２と絶縁台座２０との間に、溶剤の蒸散により体積が縮小する溶剤蒸散体積縮小型接着剤３０を塗布したのち、ｃｋ溶剤を蒸散させて接着剤３０の体積を縮小させて、音響電気変換器１０ａに所定の応力を加えて固定する。【選択図】図３
2008042439.tif 000002
【特許請求の範囲】
【請求項１】
支持リングに張設された振動板と絶縁台座に支持された固定極とをスペーサを介して対向的に配置して構成される音響電気変換器をユニットケース内に収納してなるコンデンサマイクロホンユニットにおいて、
上記ユニットケースと上記絶縁台座とが、溶剤の蒸散により体積が縮小する溶剤蒸散体積縮小型接着剤を介して固定されていることを特徴とするコンデンサマイクロホンユニット。
【請求項２】
上記ユニットケースとして、一端に上記支持リングに対する係止片を有し他端が上記絶縁台座側に向けて延びていて上記支持リングを絶縁台座側に押さえ込む断面Ｌ字状のリング状ケースが用いられ、上記リング状ケースの他端と上記絶縁台座とが、上記溶剤蒸散体積縮小型接着剤を介して固定されていることを特徴とする請求項１に記載のコンデンサマイクロホンユニット。
【請求項３】
上記音響電気変換器が、上記絶縁台座の両側の各々に上記固定極が支持され、上記各固定極に対して上記支持リングに張設された振動板が上記スペーサを介してそれぞれ対向的に配置された可変指向性音響電気変換器であり、上記支持リングの各々が上記リング状ケースにより上記絶縁台座に固定されていることを特徴とする請求項２に記載のコンデンサマイクロホンユニット。
【請求項４】
支持リングに張設された振動板と絶縁台座に支持された固定極とをスペーサを介して対向的に配置して構成される音響電気変換器をユニットケース内に収納してなるコンデンサマイクロホンユニットの製造方法において、
上記ユニットケースとして、一端に上記支持リングに対する係止片を有し他端が上記絶縁台座側に向けて延びていて上記支持リングを絶縁台座側に押さえ込む断面Ｌ字状のリング状ケースを用い、上記リング状ケースの他端と上記絶縁台座との間に溶剤の蒸散により体積が縮小する溶剤蒸散体積縮小型接着剤を塗布したのち、上記溶剤を蒸散させて上記接着剤の体積を縮小させて、上記音響電気変換器に所定の応力を加えることを特徴とするコンデンサマイクロホンユニットの製造方法。
【発明の詳細な説明】
【技術分野】
【０００１】
本発明は、コンデンサマイクロホンユニットおよびその製造方法に関し、さらに詳しく言えば、組み立て時にユニットケースの内蔵部品である音響電気変換器に応力を加える技術に関するものである。
【背景技術】
【０００２】
コンデンサマイクロホンユニットは、支持リングに張設された振動板と絶縁台座に支持された固定極とをスペーサを介して対向的に配置してなる音響電気変換器をユニットケース内に収納することにより組み立てられる。
【０００３】
この組み立て時に、内蔵部品としての音響電気変換器は、使用時にユニットケース内でがたつかないように適切な応力を加えて固定される。従来において、この固定方法には、例えば特許文献１に記載されているように、カシメ工程でユニットケースを塑性変形する方法と、例えば特許文献２に記載されているように、ネジを使用して固定する方法とが知られている。
【０００４】
【特許文献１】特開２００５−３５４５７４号公報（図４）
【特許文献２】特開２００５−１８４３４７号公報
【発明の開示】
【発明が解決しようとする課題】
【０００５】
前者のカシメによる固定方法は、通常、比較的性能が低く安価なコンデンサマイクロホンユニットに適用されているが、応力の調整が比較的困難で、特に振動板の張力が低い単一指向性ユニットなどでは、振動板の支持リングに不均一な内部応力が加えられ、これが原因で振動板に皺が発生してしまうことがある。
【０００６】
これに対して、後者のネジを使用して固定する方法によると、ネジの締め付け具合により応力の調整を比較的容易に行えることから、振動板の支持リングに不均一な内部応力が加えられることはほとんどない。
【０００７】
そのため、振動板の張力を低くした状態でユニットが組み立てられることにより、比較的高性能の高価なユニットに適用されている。しかしながら、ユニットケースなどにネジ加工を必要とするため、コストアップは避けられないという問題がある。
【０００８】
したがって、本発明の課題は、カシメやネジによることなく、ユニットケース内に適切な応力を加えて音響電気変換器を固定することにある。
【課題を解決するための手段】
【０００９】
上記課題を解決するため、本発明は、請求項１に記載されているように、支持リングに張設された振動板と絶縁台座に支持された固定極とをスペーサを介して対向的に配置して構成される音響電気変換器をユニットケース内に収納してなるコンデンサマイクロホンユニットにおいて、上記ユニットケースと上記絶縁台座とが、溶剤の蒸散により体積が縮小する溶剤蒸散体積縮小型接着剤を介して固定されていることを特徴としている。
【００１０】
本発明の好ましい態様によると、請求項２に記載されているように、上記ユニットケースとして、一端に上記支持リングに対する係止片を有し他端が上記絶縁台座側に向けて延びていて上記支持リングを絶縁台座側に押さえ込む断面Ｌ字状のリング状ケースが用いられ、上記リング状ケースの他端と上記絶縁台座とが、上記溶剤蒸散体積縮小型接着剤を介して固定される。
【００１１】
また、請求項３に記載されているように、上記音響電気変換器が、上記絶縁台座の両側の各々に上記固定極が支持され、上記各固定極に対して上記支持リングに張設された振動板が上記スペーサを介してそれぞれ対向的に配置された可変指向性音響電気変換器であり、上記支持リングの各々が上記リング状ケースにより上記絶縁台座に固定される。
【００１２】
また、本発明には請求項４に記載の製造方法の発明も含まれる。すなわち、請求項４に記載の発明においては、支持リングに張設された振動板と絶縁台座に支持された固定極とをスペーサを介して対向的に配置して構成される音響電気変換器をユニットケース内に収納してなるコンデンサマイクロホンユニットの製造方法において、上記ユニットケースとして、一端に上記支持リングに対する係止片を有し他端が上記絶縁台座側に向けて延びていて上記支持リングを絶縁台座側に押さえ込む断面Ｌ字状のリング状ケースを用い、上記リング状ケースの他端と上記絶縁台座との間に溶剤の蒸散により体積が縮小する溶剤蒸散体積縮小型接着剤を塗布したのち、上記溶剤を蒸散させて上記接着剤の体積を縮小させて、上記音響電気変換器に所定の応力を加えることを特徴としている。
【発明の効果】
【００１３】
本発明によれば、ユニットケースと絶縁台座とを固定する接着剤が溶剤の蒸散により体積が縮小する溶剤蒸散体積縮小型であるため、接着剤が硬化するに伴ってその体積が縮小する際に発生する収縮力にてユニットケース内の内蔵部品である音響電気変換器に所定の応力を加えることができる。
【００１４】
したがって、ネジ加工が不要でその分コストを削減することができる。また、接着剤に加える有機溶剤の量と接着部の隙間とにより、収縮力をコントロールすることができるため、内蔵部品である音響電気変換器に所望とする応力を加えることができる。
【発明を実施するための最良の形態】
【００１５】
次に、図１ないし図３により、本発明の実施形態について説明するが、本発明はこれに限定されるものではない。図１は本発明の実施形態に係るコンデンサマイクロホンユニットを示す分解断面図、図２，図３はその組み立て状態を示す断面図である。
【００１６】
図１に示すように、この実施形態に係るコンデンサマイクロホンユニット１０は、絶縁台座２０の両側に、音響電気変換器としての第１コンデンサエレメント１０ａと第２コンデンサエレメント１０ｂを配置してなる可変指向性コンデンサマイクロホンユニットであるが、その一方のコンデンサエレメントを省略した単一指向性コンデンサマイクロホンユニットであってもよい。
【００１７】
第１コンデンサエレメント１０ａと第２コンデンサエレメント１０ｂは同一構成であるため、主に第１コンデンサエレメント１０ａについて説明し、第２コンデンサエレメント１０ｂについてはその構成要素の参照符号を括弧内に記す。
【００１８】
コンデンサエレメント１０ａ（１０ｂ）は、支持リング１２ａ（１２ｂ）に所定の張力をもって張設された振動板１１ａ（１１ｂ）と、絶縁台座２０に支持される固定極１４ａ（１４ｂ）とを電気絶縁性のスペーサリング１３ａ（１３ｂ）を介して対向的に配置することにより構成される。
【００１９】
支持リング１２ａ（１２ｂ）は金属製で、その外面側には電気信号を取り出すための電極端子１５ａ（１５ｂ）が配置される。なお、図示されていないが、固定極１４ａ（１４ｂ）には多数の音孔が穿設されている。
【００２０】
絶縁台座２０は、中央部分に所定容積の空気室２２を有する合成樹脂製の円盤体からなり、その孔２２内には例えばナイロンメッシュからなる音響抵抗材２１，２１が設けられている。絶縁台座２０の外周面には固定用の突起２３が形成されている。絶縁台座２０は一方の面で固定極１４ａを支持し、他方の面で固定極１４ｂを支持する。
【００２１】
この実施形態では、ユニットケースとしてリング状ケース１６ａ（１６ｂ）が用いられており、コンデンサエレメント１０ａ（１０ｂ）は、リング状ケース１６ａ（１６ｂ）を介して絶縁台座２０に固定される。
【００２２】
リング状ケース１６ａ（１６ｂ）は、一端に支持リング１２ａ（１２ｂ）に対する係止片１６１を有する断面Ｌ字状のリングで、他端１６２は絶縁台座２０の突起２３側に向けて延ばされている。
【００２３】
このコンデンサマイクロホンユニット１０を組み立てるには、支持リング１２ａ（１２ｂ）の外面側に電極端子１５ａ（１５ｂ）を配置した状態で、図２に示すように、リング状ケース１６ａ（１６ｂ）によりコンデンサエレメント１０ａ（１０ｂ）を絶縁台座２０に対して軽く押さえる。
【００２４】
この状態で、リング状ケース１６ａ（１６ｂ）の他端１６２と絶縁台座２０の突起２３との間に接着剤３０を塗布する。本発明では、接着剤３０に溶剤の蒸散により体積が縮小する溶剤蒸散体積縮小型接着剤を用いる。
【００２５】
この種の接着剤には、市販されているものとして、例えばノガワケミカル社製の品番Ｎｏ．１６６３Ｇ（クロロプレンゴム系）を挙げることができる。接着剤塗布には、安定した高性能のユニットを作製するうえで、回転塗布機を用いることが好ましい。
【００２６】
接着剤３０の塗布後に、溶剤を蒸散させて硬化させる。この硬化時に接着剤３０の体積が収縮するため、図３に示すように、リング状ケース１６ａ（１６ｂ）が絶縁台座２０側に引き寄せられ、その応力にてコンデンサエレメント１０ａ（１０ｂ）が固定される。
【００２７】
このようにして、本発明によれば、カシメやネジによることなく、もっぱら接着剤３０の収縮力により、コンデンサエレメント１０ａ（１０ｂ）を絶縁台座２０に固定することができる。
【００２８】
また、接着剤３０の収縮力は、接着剤３０に加える有機溶剤の量と、リング状ケース１６ａ（１６ｂ）の他端１６２と絶縁台座２０の突起２３との間の距離により適宜調整することができる。
【図面の簡単な説明】
【００２９】
【図１】本発明の実施形態に係るコンデンサマイクロホンユニットを示す分解断面図。
【図２】上記コンデンサマイクロホンユニットの組み立て状態を示す断面図。
【図３】上記コンデンサマイクロホンユニットの組み立て状態を示す断面図。
【符号の説明】
【００３０】
１０  コンデンサマイクロホンユニット
１０ａ，１０ｂ  コンデンサエレメント
１１ａ，１１ｂ  振動板
１２ａ，１２ｂ  支持リング
１３ａ，１３ｂ  スペーサリング
１４ａ，１４ｂ  固定極
１５ａ，１５ｂ  電極端子
１６ａ，１６ｂ  リング状ケース
１６１  係止片
２０  絶縁台座
２１  音響抵抗材
２２  空気室
２３  突起
３０  接着剤
【図１】
2008042439.tif 000003
【図２】
2008042439.tif 000004
【図３】
2008042439.tif 000005